(57)【要約】【課題】  賞味期限日付１３が表示されている食品パック容器１２から従来の食品保存容器１４へ食品を移し替えた際、前記食品パック容器をそのまま廃棄してしまうと、従来の食品保存容器には賞味期限日付を表示する手段が設けられていないので、賞味期限日付は時間経過と共に次第に忘れてしまい、以後、賞味期限日付をどのような手段で把握してゆくのかという課題を持っている。【解決手段】  本発明は、食品保存容器１の蓋部２の表面側に、食品の賞味期限日付を表示する日付表示装置３を設置することにより、賞味期限日付を表示するものである。【選択図】図１
2008290772.tif 000002
【特許請求の範囲】
【請求項１】
食品を保存する食品保存容器１において、左右の両側面に形状が調整された断面コ字状の横溝６ａ、６ｂを設け、更に、底部に日付数字８が表記された底面７を備えた、断面凹状の縦溝５の、前記横溝内に、中央に開口形状の日付表示部１０を設け、更に、前記日付表示部の外周側に枠部１１を備えた、四角平面形状のスライド窓９を、前記枠部を介して、前記スライド窓が前記底面上を自在にスライド可能となるように、それぞれ差し込むことにより、日付表示装置パーツ４ａ、４ｂ、４ｃ、４ｄがそれぞれ構成され、更に、前記日付表示装置パーツ４ａ、４ｂ、４ｃ、４ｄを、並列に配置することにより、日付表示装置３が構成され、前記日付表示装置を、前記食品保存容器の蓋部２の表面側に設置することにより、食品の賞味期限日付１３を表示することを特徴とする、食品保存容器。
【発明の詳細な説明】
【技術分野】
【０００１】  本発明は、食品の賞味期限日付を表示する日付表示装置を設置した食品保存容器に関する。
【背景技術】
【０００２】  一般消費者は、食品店で、食品パック容器１２入りの食品を購入する際、賞味期限日付１３の表示には注意を払っている筈であるが、自宅で、賞味期限日付１３が表示されている食品パック容器１２から、従来の食品保存容器１４へ食品を移し替えた際、前記食品パック容器をそのまま廃棄してしまうと、従来の食品保存容器には賞味期限日付を表示する手段が設けられていないので、賞味期限日付は時間経過と共に次第に忘れてしまい、以後、賞味期限日付をどのような手段で把握してゆくのかという課題を持っている。【０００３】
【非特許文献】  実用新案登録第３１２８２１３号
【発明の開示】
【発明が解決しようとする課題】
【０００４】  発明が解決しようとする課題は、食品保存容器の表面側に、賞味期限日付を表示する手段を設けることである。
【課題を解決するための手段】
【０００５】  食品を保存する食品保存容器１において、左右の両側面に形状が調整された断面コ字状の横溝６ａ、６ｂを設け、更に、底部に日付数字８が表記された底面７を備えた、断面凹状の縦溝５の、前記横溝内に、中央に開口形状の日付表示部１０を設け、更に、前記日付表示部の外周側に枠部１１を備えた、四角平面形状のスライド窓９を、前記枠部を介して、前記スライド窓が前記底面上を自在にスライド可能となるように、それぞれ差し込むことにより、日付表示装置パーツ４ａ、４ｂ、４ｃ、４ｄがそれぞれ構成され、更に、前記日付表示装置パーツ４ａ、４ｂ、４ｃ、４ｄを、並列に配置することにより、日付表示装置３が構成され、前記日付表示装置を、前記食品保存容器の蓋部２の表面側に設置することにより、食品の賞味期限日付１３を表示することである。【０００６】  図２（ａ）に示すように、四角平面形状のスライド窓９を、枠部１１を介して、同図（ｃ）に示すように、左右の両横溝６ａ、６ｂ内に、それぞれ差し込む方法の一つとして、前記スライド窓は、曲げ伸ばし可能な部材を使用することにより、同図（ｂ）に示すように、曲げながら、前記スライド窓の左右の両側面が、縦溝５の左右の両側面にそれぞれ接するようにして、底面７上まで挿入し、次に、前記により曲げられたスライド窓は、同図（ｃ）に示すように、前記底面上で、同図（ａ）に示すような元の平面形状に伸ばしながら、前記枠部を介して、前記横溝６ａ、６ｂ内に、それぞれ差し込む方法があるが、但し、前記方法に特定するものではない。【０００７】  スライド窓９の日付表示部１０は、図１及び図２（ｃ）に示すように、前記スライド窓が底面７上をスライドして、停止した位置の底面上に表記されている日付数字８が、前記日付表示部を通して視認できるように、開口形状になっている。【０００８】  横溝６ａ、６ｂは、図２（ｃ）に示すように、スライド窓９が、枠部１１を介して、前記横溝内にそれぞれ差し込まれた際、前記スライド窓が底面７上を自在にスライド可能となるように、前記枠部面と横溝面の両者の間に、適度な隙間が生じるように、形状が調整されている。
【発明の効果】
【０００９】  本発明の食品保存容器には、蓋部の表面側に、食品の賞味期限日付を表示する日付表示装置が設置されており、前記食品保存容器に保存されている食品の賞味期限日付を常に把握できるので、消費者としても安心できる。
【発明を実施するための最良の形態】
【００１０】  日付表示装置３が日付を表示する構成について説明をする。【００１１】  日付表示装置３は、図１に示すように、４個の日付表示装置パーツ４ａ、４ｂ、４ｃ、４ｄによって、１年間の日付が表示されるように構成されており、前記日付表示装置パーツ４ａにおいては、日付数字０，１によって、十の桁の“月”を、４ｂにおいては、日付数字０，１，２，３，４，５，６，７，８，９によって、一の桁の“月”を、また、４ｃにおいては、日付数字０，１，２，３によって、十の桁の“日”を、４ｄにおいては、日付数字０，１，２，３，４，５，６，７，８，９によって、一の桁の“日”をそれぞれ表示する。【００１２】  日付の表示は、図１及び図２（ｃ）に示すように、スライド窓９が、底面７上をスライドして、停止した位置の前記底面上に表記されている日付数字８が、日付表示部１０を通して、日付として表示されるが、図１の例では、日付表示装置パーツ４ａにおいては“１”が、４ｂにおいては“２”が、また、４ｃにおいては“０”が、４ｄにおいては、“７”がそれぞれ表示されており、前記４個の日付表示装置パーツによって、“１２月０７日”が表示されている。【００１３】  日付表示装置３は、図１に示すように、４個の日付表示装置パーツ４ａ、４ｂ、４ｃ、４ｄによって、１年間の日付が表示されるように構成されているが、これを、１０年間の日付が表示できるようにするには、図示は省略するが、前記日付表示装置パーツ４ａの左側に、日付数字０，１，２，３，４，５，６，７，８，９によって、一の桁の“年”を表示する日付表示装置パーツ１個を新たに配置し、前記４個と合わせた、合計５個の日付表示装置パーツによって表示することができる。
【図面の簡単な説明】
【００１４】
【図１】  食品保存容器の斜視図
【図２】  （ａ）  スライド窓  （ｂ）  図１における日付表示装置パーツのＡ−Ａ線断面図及び斜視図  （ｃ）  図１における日付表示装置パーツのＡ−Ａ線断面図及び斜視図
【図３】  （ａ）  食品パック容器  （ｂ）  従来の食品保存容器
【符号の説明】
【００１５】  １    食品保存容器
２    蓋部
３    日付表示装置
４ａ、４ｂ、４ｃ、４ｄ    日付表示装置パーツ
５    縦溝
６ａ、６ｂ    横溝
７    底面
８    日付数字
９    スライド窓
１０    日付表示部
１１    枠部
１２    食品パック容器
１３    賞味期限日付
１４    従来の食品保存容器
【図１】
2008290772.tif 000003
【図２】
2008290772.tif 000004
【図３】
2008290772.tif 000005